【手続補正書】
【提出日】平成26年3月24日(2014.3.24)
【手続補正１】
【補正対象書類名】特許請求の範囲
【補正対象項目名】全文
【補正方法】変更
【補正の内容】
【特許請求の範囲】
【請求項１】
ユーザの上肢の双方向エクササイズ用のリハビリテーションエクササイズデバイスであって、
隔てられた第１端と第２端の間に延びる長さを有する長尺ハンドル部材を有し、該長尺ハンドル部材は、３Ｄ空間内でユーザによってあらゆる位置及び向きに自由に動かせるように繋がれておらず、
ユーザの第１の手で握れるように、前記ハンドル部材の第１端に設けられ、又は第１端に面して設けられたハンドグリップを有し、該ハンドグリップは、ハンドル部材の端の間で延びる長手軸に対して、横断する向きでハンドル部材から延び、
ハンドル部材の第２端に設けられ、又は第２端に面して設けられた取り付けシステムを有し、取り付けシステムは、使用中、ユーザの第２の手で握れるように、前記ハンドル部材の第２端で、又は第２端に面してモーションセンシングゲームコントローラに取り外し可能に連結するように構成されており、
前記ハンドグリップ及び取り付けシステムは、約ユーザの肩幅分だけ離れて前記ハンドル部材に設けられており、エクササイズデバイスを使用しているとき、ユーザの第１の手と第２の手が約ユーザの肩幅分だけ離れる、リハビリテーションエクササイズデバイス。
【請求項２】
前記ユーザの一方の手、又は各々の手を、前記ハンドグリップ及び／又はゲームコントローラに固定するように動作可能な、１又は複数の手固定システムを更に備える、請求項１に記載のリハビリテーションエクササイズデバイス。
【請求項３】
前記取り付けシステムは、前記ゲームコントローラの向き又は位置を、前記ハンドル部材に対して選択的に調節することを可能とするように構成される、請求項１又は２に記載のリハビリテーションエクササイズデバイス。
【請求項４】
前記取り付けシステムは、前記ゲームコントローラが、前記ハンドル部材の端の間で延びる長手軸を実質的に横切るように延びる回転軸に対して選択的に調整できるように、前記ハンドル部材に取り付けられる向きをとれるように構成されている、請求項３に記載のリハビリテーションエクササイズデバイス。
【請求項５】
前記取り付けシステムは、前記ゲームコントローラを前記ハンドル部材に連結するために、前記ゲームコントローラの相補的部分を取り外し可能に受け入れ、かつ保持できるように構成された取り付け開口部を備える、請求項１乃至４の何れか１項に記載のリハビリテーションエクササイズデバイス。
【請求項６】
前記取り付けシステムの取り付け開口部は、前記ゲームコントローラが前記取り付け開口部から、前記ハンドル部材の端の間で延びる長手軸に対してほぼ横切る方向で突出するように構成されている、請求項５に記載のリハビリテーションエクササイズデバイス。
【請求項７】
前記取り付け開口部は、前記ハンドル部材に対して選択可能な複数の向きで前記ゲームコントローラの相補的部分を受け入れ、かつ保持できるように形状決めされている、請求項５又は６に記載のリハビリテーションエクササイズデバイス。
【請求項８】
前記取り付け開口部は、摩擦適合保持によって前記ゲームコントローラの相補的部分を保持するように構成されている、請求項５乃至７の何れか１項に記載のリハビリテーションエクササイズデバイス。
【請求項９】
前記取り付け開口部は、前記ゲームコントローラの相補的部分を摩擦適合保持によって保持するように構成された弾性変形材料を備える内側面を備える、請求項８に記載のリハビリテーションエクササイズデバイス。
【請求項１０】
前記取り付けシステムは、前記取り付け開口部内の前記ゲームコントローラの相補的部分を挟む、動作可能なクランプをさらに備えている、請求項５乃至９の何れか１項に記載のリハビリテーションエクササイズデバイス。
【請求項１１】
前記ハンドル部材は、長さについて調節可能である、請求項１〜１０のいずれか一項に記載のリハビリテーションエクササイズデバイス。
【請求項１２】
前記伸長ハンドルの重さを変更するための１又は複数の取り外し可能な重り要素を更に備える、請求項１〜１１のいずれか１項に記載のリハビリテーションエクササイズデバイス。
【請求項１３】
ユーザの上肢の双方向エクササイズ用のリハビリテーションエクササイズコントローラであって、
隔てられた第１端と第２端の間に延びる長さを有する長尺ハンドル部材を有し、該長尺ハンドル部材は、３Ｄ空間内でユーザによってあらゆる位置及び向きに自由に動かせるように繋がれておらず、
ユーザの第１の手で握れるように、前記ハンドル部材の第１端に設けられ、又は第１端に面して設けられたハンドグリップを有し、該ハンドグリップは、ハンドル部材の端の間で延びる長手軸に対して、横断する向きでハンドル部材から延び、
ユーザの第２の手で握れるように、前記ハンドル部材の第２端に設けられ、又は第２端に面して設けられたモーションセンシングゲームコントローラを有し、ゲームコントローラは、前記ハンドル部材が３Ｄ空間で動かされるときの前記３Ｄ空間内での前記ゲームコントローラの動作を示す動作信号を生成し、
前記ハンドグリップ及び取り付けシステムは、約ユーザの肩幅分だけ離れて前記ハンドル部材に設けられており、エクササイズデバイスを使用しているとき、ユーザの第１の手と第２の手が約ユーザの肩幅分だけ離れる、リハビリテーションエクササイズコントローラ。
【請求項１４】
前記ゲームコントローラは、前記ハンドル部材に永続的に連結されるか、又は組み込まれ、前記ゲームコントローラは、前記ハンドル部材に取り外し可能に連結される、請求項１３に記載のエクササイズコントローラ。
【請求項１５】
前記ユーザの一方の手、又は各々の手を、前記ハンドグリップ及び／又はゲームコントローラに固定するように動作可能な、１又は複数の手固定システムを更に備える、請求項１３又は１４に記載のエクササイズコントローラ。
【請求項１６】
前記ゲームコントローラと前記ハンドル部材の前記連結は、前記ゲームコントローラの向き又は位置を、前記ハンドル部材に対して調節することが可能である、請求項１３〜１５１のいずれか１項に記載のエクササイズコントローラ。
【請求項１７】
前記ゲームコントローラの向きは、前記ハンドル部材の端の間で延びる長手軸をほぼ横切って延びる回転軸に対して選択的に調整可能である、請求項１６に記載のエクササイズコントローラ。
【請求項１８】
前記ハンドル部材は、長さについて調節可能である、請求項１３〜１７のいずれか１項に記載のエクササイズコントローラ。
【請求項１９】
前記伸長ハンドルの重さを変更するための１又は複数の取り外し可能な重り要素を更に備える、請求項１３〜１８のいずれか１項に記載のエクササイズコントローラ。
【請求項２０】
ユーザの上肢の双方向エクササイズ用のリハビリテーションエクササイズシステムであって、
隔てられた第１端と第２端の間に延びる長さを有する長尺ハンドル部材を有し、該長尺部材は、前記ハンドル部材の各々の端に設けられ、又は面して設けられた、ユーザの左右の手で握るための、ハンドグリップを備え、前記ハンドグリップは、約ユーザの肩幅分だけ離れて前記ハンドル部材に設けられており、エクササイズデバイスを使用しているとき、ユーザの第１の手と第２の手が約ユーザの肩幅分だけ離れており、前記長尺ハンドル部材は、３Ｄ空間内でユーザによってあらゆる位置及び向きに自由に動かせるように繋がれておらず、
前記ハンドル部材の３Ｄ空間内での動きを示す動作信号を生成するモーションセンシングデバイスと、
前記モーションセンシングデバイスに作動的に連結され、ディスプレイスクリーン上で、前記ユーザに視覚的な双方向型のゲームを提供し、３Ｄ空間における前記ハンドル部材の動きによって、前記ユーザが前記ゲームシステムと情報のやり取りを行いうるように、前記モーションセンシングデバイスから動作信号を受信し処理する電子ゲームシステムを更に備える、リハビリテーションエクササイズシステム。
【請求項２１】
前記モーションセンシングデバイスは、前記ハンドル部材から独立し、離れて配置される３Ｄ動作スキャナである、請求項２０に記載のエクササイズシステム。